(57)【要約】装着者の腰のまわりに一緒に固定されることを意図され、かつ物品の後部分（６）あるいは前部分（５）に取付けられた一対のベルト部分（９，１０）を含むおむつ及び失禁ガードの如き吸収物品であって、物品がパンツ状形状をとってベルト部分（９，１０）がパンツの腰部分の一部を形成するような方法で前記前部分（５）あるいは前記後部分（６）がベルト部分（９，１０）に取付けられることを意図される第二固定手段（８）を有する。ベルト部分（９，１０）は物品上に配置された第一弾性サイドパネル（１２）を介して物品の後部分（６）あるいは前部分（５）に取付けられ、物品の前部分（５）あるいは後部分（６）は固定手段（８）が取付けられている第二弾性サイドパネル（１３）を有する。【選択図】図１
2004516071.tif 000002
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、さらに装着者の腰のまわりに一緒に固定されることを意図され、かつ物品の後部分（６）あるいは前部分（５）に取付けられた一対のベルト部分（９，１０）を与えられており、一方のベルト部分（９）が対向するベルト部分（１０）に対して取付けられることを意図される第一固定手段（１１）を持ち、物品がパンツ状形状をとってベルト部分（９，１０）がパンツの腰部分の一部を形成するような方法で前記前部分（５）あるいは前記後部分（６）がベルト部分（９，１０）に取付けられることを意図される第二固定手段（８）を有する吸収物品において、ベルト部分（９，１０）が物品上に配置された第一弾性サイドパネル（１２）を介して物品の後部分（６）あるいは前部分（５）に取付けられることを特徴とする吸収物品。
【請求項２】
物品の前部分（５）あるいは後部分（６）が、固定手段（８）が取付けられている第二弾性サイドパネル（１３）を有することを特徴とする請求項１に記載の吸収物品。
【発明の詳細な説明】
【０００１】
技術分野
本発明は、液体透過性上部シート、液体不透過性下部シート及びそれらの間に封入された吸収体を含む、おむつ及び失禁ガードの如き吸収物品であって、前記物品が前部分、後部分及びそれらの間の股部分を有し、さらに装着者の腰のまわりに一緒に固定されることを意図され、かつ物品の後部分あるいは前部分に取付けられた一対のベルト部分を与えられており、物品がパンツ状形状をとってベルト部分がパンツの腰部分の一部を形成するような方法で前記前部分あるいは後部分がベルト部分に取付けられることを意図される取付手段を与えられている吸収物品に関する。
【０００２】
発明の背景
おむつ及び失禁ガードは使用者の体に対して吸収体を適所に保持する衣料部分及び使用者が動いているときでも衣料部分を適所に保持する取付手段を通常有する。一般的なタイプの取付手段はタッチアンドクローズタイプのフックアンドループファスナー又は接着テープであり、それは吸収物品の前及び後部分を互いに直接取付ける。さらにベルトによって物品の前及び後部分を取付け、適合性を調整する可能性が改良されることが例えばＥＰ−Ａ  ０２８７３８８，ＥＰ−Ａ  ０４０９３０７，ＥＰ−Ａ  ０５２８２８２，ＥＰ−Ａ  ０６０５０１２及びＦＲ−Ａ  ２５８６５５８を通して知られている。
【０００３】
子供のための従来のおむつは一般に子供を横たわらせた状態で適用される。取付手段は通常、後部分上に配置され、前部分に取付けられる。この種の適用はしばしば別の人から助けを要する。しかしながら、大人の使用者に対しては失禁ガードを自ら適用できることが望ましい。一般的なタイプのベルトおむつ上にはベルト部分がまず腰のまわりに取付けられる。
【０００４】
失禁ガードがこのようにして腰のまわりに固定されるとき、使用者は脚の間に失禁ガードの残りを到達するように努め、次いで失禁ガードの股部分は前部分及び／又はベルト部分上に配置されるフックアンドループファスナー又はテープタブを使用してベルト部分の外側におむつの前部分を固定することによって正しい位置に適用される。このデザインは看護者が立っている人におむつを適用したり又は使用者が立っている状態で自らおむつを適用することを可能にする。
【０００５】
一つの問題はベルトが適用される体の形状に適切に適応せず、それが使用時に装着者に対して不快に導くことである。ベルトにおける力はベルトの中央部分に集中され、ベルト上の固定手段から発生される。ベルトの上又は下部分に作用する力は全くない。しばしば、下部分は極めて堅く締まり、緩めることができる必要があり、一方上部分は体に密接であることが必要である。
【０００６】
この問題を解決するための一つの方法はある種の弾性材料を使用して製品をより柔軟にすることであろう。しかしながら、これらの製品に使用される材料に対するコストは低く保たなければならない。なぜならばこれらの製品は原則として一回の使用に対して意図されているからである。
【０００７】
Ｕ．Ｓ．５６９５４８８は主に子供のために意図される製品を記載し、それはとりわけ後部分上に配置された弾性腰バンドを有し、使用者の腰部分のまわりに取付けられることを意図される。しかしながら、これらの弾性腰バンドは漏出防止を助けるために主に存在する。他方、弾性材料を使用して腰バンド全体を設計することは高価である。また、十分に作用する固定システムをベルト中の弾性材料と組合わせることは困難である。
【０００８】
ＧＢ  ２２９２０６７は固定手段が配置される後部分上に弾性側部分を有する従来のおむつを示す。それは固定システム自体が装着者により良く適合することを確実にするために弾性材料を有するにすぎない。その文献は本発明によるベルトを与えられている製品を示さず、それはまず腰のまわりに適用され、次いで好ましくは前部分上に配置された固定手段によってベルト部分に前部分を取付ける。
【０００９】
それゆえ、ベルトがおむつを使用する使用者に適応し、かつ装着を快適に感じる、ベルトを与えられた吸収物品に対する必要性が存在する。
【００１０】
発明の概要
本発明の目的は異なるサイズを有する人に適合し、かつ装着を快適にできるベルト付きおむつ又は失禁ガードを提供することである。この目的はベルト部分が物品上に配置される第一弾性サイドパネルを介して物品の後部分あるいは前部分に取付けられること及び物品の前あるいは後部分が固定手段が取付けられる第二弾性サイドパネルを有することで解決される。これらの弾性サイドパネルは腰のまわりのベルトの位置のフレキシビリティを可能にし、ベルト上に均一に力を分布させ、快適性を増大させる。
【００１１】
図面の簡単な記述
本発明は添付図面に示された例を参照して以下においてより詳細に記載されるだろう。
【００１２】
図１は使用中、装着者に対して面することを意図される、本発明によるおむつ又は失禁ガードの側から見た図を概略的に示す。
【００１３】
具体例の記述
図面は液体不透過性下部シート２、液体透過性上部シート３及びそれらの間に封入された吸収体４を含む、おむつ又は失禁ガード１の一例を示す。液体透過性上部シート３は不織材料、例えば連続フィラメントのスパンボンド材料、メルトブロー材料、結合されカードされた繊維ウェブ又は有孔プラスチックフィルムからなることができる。液体不透過性下部シート２はプラスチックフィルム、液体不透過性材料又は液体透過に抵抗する疎水性不織材料で被覆された不織材料からなってもよい。液体不透過性下部シート２は蒸気透過性材料であってもよい。
【００１４】
下部シート２及び上部シート３材料は吸収体４より平面において幾分大きい範囲を有し、その縁の外側に延びる。層２及び３は例えば接着又は熱又は超音波による溶接を使用してその突出する部分内で互いに接続される。
【００１５】
吸収体４はいかなる従来の種類からなることもできる。一般的な吸収材料の例はセルロース毛羽パルプ、ティッシュ層、高吸収ポリマー（いわゆる超吸収材）、吸収性フォーム材料、吸収性不織布などである。吸収体においてセルロース毛羽パルプを超吸収材と混合することが一般的である。また、液体取得能力、液体分布能力及び貯蔵能力に関して異なる特性を有する異なる材料の層を含む吸収体を持つことが一般的である。それは当業者に良く知られており、それゆえ詳細に述べる必要はない。例えばベビー用おむつ及び失禁ガードに対して一般的である薄い吸収体はセルロース毛羽パルプ及び超吸収材の圧縮された混合又は層状構造を含むことが多い。
【００１６】
おむつ／失禁ガードは吸収性パンツのように装着者の胴の下部を包囲することを意図される。それは使用中、使用者の体の前部分上に装着されることを意図される前部分５、使用中、使用者の体の後部分上に装着されることを意図される後部分６、及び脚の間で使用者の股部分に装着されることを意図されかつ前及び後部分の間に位置される股部分７を含む。前部分５は一対のテープタブ８又はフックアンドループファスナーの如き別の種類の固定手段を有する。
【００１７】
一対のベルト部分９，１０は一端をおむつの後部分６に取付けられる（例えば接着又は超音波溶接される）。ベルト部分９，１０はそれらの対向端で、対向ベルト部分の外側に対して取付けられることを意図される第一固定手段１１（例えばフックアンドループタイプファスナー又はテープタブ）によって一緒に固定されることを意図される。例えばフックアンドループファスナー又はテープタブの如き前部分５の第二固定手段８はおむつ／失禁ガードを一緒に固定して所望のパンツ状形状にするためにベルト部分９，１０の外側に対して取付けられることを意図される。
【００１８】
別の例によればベルト部分９，１０はおむつの前部分５に取付けられ、かくして装着者の背中上に一緒に固定されることを意図される。固定手段８は次いでおむつの後部分６上に配置される。
【００１９】
ベルト部分９，１０の幅は３〜２０ｃｍ、好ましくは７〜１５ｃｍであるべきである。ベルト部分９，１０は一例によれば積層体を含み、そこではキャリア材料はベルトの外側を形成し、柔らかい不織布は使用者の皮膚と直接接触することを意図されるベルトの内側を形成する。好適な不織材料は例えばポリプロピレン又はポリエチレン繊維のスパンボンド材料であることができる。複合繊維を使用してもよい。別の好適な不織材料は例えばポリプロピレン、ポリエステル又は複合繊維のカードされ熱結合された材料であることができる。プラスチックフィルム又は別の好適な材料、例えば不織布をキャリア材料として使用してもよい。キャリア材料は固定手段８及び１１の両方のための受入表面として機能するように適応されるべきであり、これらがテープタブの場合にはプラスチックフィルムが好適である。テープタブの代わりに他の種類の固定手段、例えばフックアンドループタイプファスナーが使用される場合には、別の種類のキャリア材料、特に不織材料が使用され、それは問題の固定手段のための受入表面として作用することができる。固定手段のための別個の受入表面はベルトの外側上に配置されることもできる。
【００２０】
後部分６はベルト部分９，１０が配置される第一弾性パネル１２を与えられる。別の例では前部分５は同様に固定手段８が配置される第二弾性パネル１３を与えられる。弾性サイドパネル１２，１３はｘ方向（本質的にベルトの長手方向に沿う）及びｙ方向（本質的にベルトの長手方向を横切る）の両方において弾性である。これはベルトが異なる方向に向けられることができることに導く。物品の適用中、ベルト上に加えられる力は弾性パネル１２，１３によって吸収され、それによってベルトは体の形状により良く従う。弾性パネル１２，１３はそれぞれ後部分６又は前部分５の一部であり、それによって下部シート２及び上部シート３からなるいわゆるシェルの一部を代用する。
【００２１】
ベルト部分９，１０が前部分５に取付けられる別の例によれば、前記第一弾性パネル１２はもちろんおむつの前部分５上に配置されるだろう。同様に、前記第二弾性サイドパネル１３はおむつの後部分６上に配置された固定手段８の隣に配置されるだろう。
【００２２】
弾性サイドパネル１２，１３のために使用される材料は弾性ポリウレタン／弾性スパンボンド材料の組合わせ、弾性不織材料、弾性積層体又は弾性フィルムであることができる。弾性材料が所望の適合性を達成するためにｘ方向及びｙ方向の両方において弾性特性を有することが重要である。サイドパネル１２，１３は同じ材料からなる必要はないが、異なる特性を有する二つの異なる材料からなってもよい。例えば、材料はｘ方向及びｙ方向のそれぞれの延伸性に関して相互に異なる特性を有してもよい。
【００２３】
本発明はもちろん上述の例に限定されないが、特許請求の範囲内に変更されることができる。
【図面の簡単な説明】
【図１】
使用中、装着者に対して面することを意図される、本発明によるおむつ又は失禁ガードの側から見た図を概略的に示す。
【図１】
2004516071.tif 000003
【国際公開パンフレット】
2004516071.tif 000004
2004516071.tif 000005
2004516071.tif 000006
2004516071.tif 000007
2004516071.tif 000008
2004516071.tif 000009
2004516071.tif 000010
2004516071.tif 000011
2004516071.tif 000012
2004516071.tif 000013
【国際調査報告】
2004516071.tif 000014
2004516071.tif 000015
2004516071.tif 000016
2004516071.tif 000017
2004516071.tif 000018